(57)【要約】【課題】ユーザは必要に応じて枕の高さを調整するのに便利であり、構造がシンプルであり、そして製造しやすい新型枕を提供する。【解決手段】新型枕は、不規則な形の枕本体１０を含み、枕本体１０には少なくとも２つの底面１２が設けられ、１つの底面１２を平面上に置く場合、同底面１２は、平面と面一であり、枕本体１０の全体を支持するためのものであり、枕本体１０には底面１２と１対１で対応する枕面１１が設けられ、各組の１対１で対応する底面１２と枕面１１との間の距離は互いに異なる。底面１２及び枕面１１はいずれも４つ設置されている。枕本体１０におけるそれぞれの枕面１１にはいずれも、寸法が一致し、ユーザの頭を休めるための受容溝ａが設けられている。それぞれの受容溝ａの底部には弧状遷移面１３が設けられている。【選択図】図４
0003232591.tif 000002
【実用新案登録請求の範囲】
【請求項１】
不規則な形の枕本体（１０）を含み、前記枕本体（１０）には少なくとも２つの底面（１２）が設けられ、１つの前記底面（１２）を平面上に置く場合、前記底面（１２）は、前記平面と面一であり、前記枕本体（１０）の全体を支持するためのものであり、
前記枕本体（１０）には前記底面（１２）と１対１で対応する枕面（１１）が設けられ、各組の１対１で対応する前記底面（１２）と前記枕面（１１）との間の距離は互いに異なることを特徴とする新型枕。
【請求項２】
前記底面（１２）及び前記枕面（１１）はいずれも４つ設置されていることを特徴とする請求項１に記載の新型枕。
【請求項３】
前記枕面（１１）は弧状面であることを特徴とする請求項１又は２に記載の新型枕。
【請求項４】
前記枕面（１１）は平面であり、前記枕本体（１０）におけるそれぞれの前記枕面（１１）にはいずれも、寸法が一致し、ユーザの頭を休めるための受容溝（ａ）が設けられていることを特徴とする請求項１又は２に記載の新型枕。
【請求項５】
それぞれの前記受容溝（ａ）の底部には弧状遷移面（１３）が設けられていることを特徴とする請求項４に記載の新型枕。
【請求項６】
前記枕本体（１０）の材料は半硬質スキン層付きポリウレタンフォームであることを特徴とする請求項１−５のいずれ１項に記載の新型枕。
【考案の詳細な説明】
【技術分野】
【０００１】
本考案は、寝具技術分野に関し、具体的には新型枕に関する。
【背景技術】
【０００２】
枕は、日常生活に不可欠な日用品である。人体の形が異なるため、ユーザによって高さの異なる枕が選択される。既存の枕のほとんどは、フィラーを追加または削減することで枕芯の高さが調整される。
【０００３】
従来の枕は、一般的に、フィラーで枕の高さを調整するという操作が困難である。例えば、枕の高さを上げる必要がある場合、ユーザはフィラーを見つけて充填する必要があるが、一般的なユーザは自宅に予備のフィラーを持っていない。枕の高さを下げる必要がある場合、余分なフィラーを抽出する必要があるが、余分なフィラーは保管するのが簡単ではない。従って、フィラーを追加せずに枕の高さを調整できる新型枕を開発する必要がある。
【考案の概要】
【考案が解決しようとする課題】
【０００４】
本考案の目的は、従来技術の欠陥及び不足に鑑み、ユーザは必要に応じて枕の高さを調整するのに便利であり、構造がシンプルであり、そして製造しやすいという利点を有する新型枕を提供する。
【０００５】
上記目的を達成するために、本考案に採用されている技術的解決策は、不規則な形の枕本体を含み、前記枕本体には少なくとも２つの底面が設けられ、１つの前記底面を平面上に置く場合、前記底面は、前記平面と面一であり、前記枕本体の全体を支持するためのものであり、前記枕本体には前記底面と１対１で対応する枕面が設けられ、各組の１対１で対応する前記底面と前記枕面との間の距離は互いに異なる。
【０００６】
前記底面及び前記枕面はいずれも４つ設置されている新型枕である。
【０００７】
前記枕面は弧状面である。
【０００８】
前記枕面は平面であり、前記枕本体におけるそれぞれの前記枕面にはいずれも、寸法が一致し、ユーザの頭を休めるための受容溝が設けられている。
【０００９】
それぞれの前記受容溝の底部には弧状遷移面が設けられている。
【００１０】
前記枕本体の材料は半硬質スキン層付きポリウレタンフォームである。
【考案の効果】
【００１１】
上記の技術的解決策を採用することによる、本考案の有益な効果は以下の通りである。枕本体には少なくとも２組の１対１で対応する枕面と底面が設けられ、ユーザは必要に応じて底面を裏返し、底面をベッドの上に平らに置くことで、当該底面と対応する枕面との間の距離が自分で必要な枕の高さとなり、枕の高さ調整が便利で、他のフィラーを充填する必要がなく、構造がシンプルであるという利点を有する。
【図面の簡単な説明】
【００１２】
本考案の実施例又は従来技術の技術案をより明確に説明するために、以下、実施例又は従来技術の説明に必要な図面を簡単に説明するが、当然ながら、以下の説明における図面は、本考案のいくつかの実施例に過ぎず、当業者であれば、創造的な労力を必要とせずにこれらの図面に基づいて他の図面を想到しうる。
【００１３】
【図１】図１は本考案の上面図の構造模式図である。
【図２】図２は本考案の底面図の構造模式図である。
【図３】図３は本考案の他の形態の構造模式図である。
【図４】図４は本考案の他の形態の構造模式図である。
【考案を実施するための形態】
【００１４】
以下、図面を参照しながら本考案をさらに詳細に説明する。
【００１５】
この特定の実施例は、本考案を説明するためのものに過ぎず、本考案を限定するものではなく、当業者であれば、本明細書に基づいて必要に応じて本実施例に対して何の貢献も生じない修正を行うことができるが、本考案の実用新案登録請求の範囲内であれば、実用新案法又は特許法により保護される。
【００１６】
本実施例は新型枕に関し、図１、２に示すように、不規則な形の枕本体１０を含み、枕本体１０には少なくとも２つの底面１２が設けられ、１つの底面１２はが平面上に置く場合、底面１２は、平面と面一であり、枕本体１０の全体を支持するためのものである。枕本体１０には底面１２と１対１で対応する枕面１１が設けられ、各組の１対１で対応する底面１２と枕面１１との間の距離は互いに異なる。本実施例では、枕本体１０は、正三角錐形の枕本体のエッジとコーナーを切り取って形成されたものであり、枕面１１は当該正三角錐における切断面である。枕本体１０には少なくとも２組の１対１で対応する枕面１１と底面１２とが設けられる。ユーザは必要に応じて底面１２を裏返し、底面１２をベッドの上に平らに置くことで、当該底面１２と対応する枕面１１との間の距離が自分で必要な枕の高さとなり、枕の高さ調整が便利で、他のフィラーを充填する必要がない。他の実施例では、枕本体１０は一体的に成形されている。
【００１７】
好ましくは、底面１２及び枕面１１はいずれも４つ設置されている。いくつかの実施例では、底面１２と枕面１１はいずれも２つ又は３つ設置されている。本実施例では、枕本体１０の材料は半硬質スキン層付きポリウレタンフォームである。いくつかの実施例では、ユーザの肌を傷つけないように、枕本体１０の各エッジは丸面取りされている。
【００１８】
本考案の動作原理は以下のとおりである。枕本体１０には少なくとも２組の１対１で対応する枕面１１と底面１２が設けられ、ユーザは必要に応じて底面１２を裏返し、底面１２をベッドの上に平らに置くことで、当該底面１２と対応する枕面１１との間の距離が自分で必要な枕の高さとなり、枕の高さ調整が便利で、他のフィラーを充填する必要がなく、構造がシンプルであるという利点を有する。
【００１９】
実施例２
【００２０】
本実施例と実施例１との主な違いは、図３に示すように、枕面１１が円弧状の面であることである。ユーザの頭の配置が容易であり、ユーザが眠っているときに頭を動かしたり回したりして枕から離れて目が覚めるのを防ぐ。
【００２１】
実施例３
【００２２】
本実施例と実施例１及び実施例２との主な違いは、図４に示すように、枕面１１が平面であり、枕本体１０におけるそれぞれの枕面１１にはいずれも、寸法が一致し、ユーザの頭を休めるための受容溝ａが設けられていることである。ユーザの頭の配置が容易であり、ユーザが眠っているときに頭を動かしたり回したりして枕から離れて目が覚めるのを防ぐ。
【００２３】
好ましくは、それぞれの受容溝ａの底部には弧状遷移面１３が設けられている。弧状遷移面１３の設置は人間の首の弧状の曲線に一致し、これにより、枕本体１０は、ユーザにとってより快適になる。
【００２４】
以上は、本考案の技術案を説明するためにのみ使用され、技術案を限定するものではなく、当業者が本考案の技術案に対して行う他の修正や同等の置換は、本考案の技術案の精神及び範囲から逸脱しない限り、いずれも実用新案登録請求の範囲に含まれるものとする。
【符号の説明】
【００２５】
１０  枕本体
１１  枕面
１２  底面
ａ  受容溝
１３  弧状遷移面
【図１】
0003232591.tif 000003
【図２】
0003232591.tif 000004
【図３】
0003232591.tif 000005
【図４】
0003232591.tif 000006